(57)【特許請求の範囲】
【請求項１】
複数の機能を有した機器における前記各機能毎の使用可能電池容量割当量を設定する使用可能電池容量設定ステップと、
該使用可能電池容量設定ステップで設定した前記各機能毎の使用可能電池容量割当量における残量を当該各機能毎に監視する監視ステップと、
前記各機能の動作に伴って前記使用可能電池容量設定ステップで設定した使用可能電池容量割当量がなくなると、前記監視ステップの監視結果をもとに当該機能について設定されている使用可能電池容量割当量がなくなったことを報知する報知ステップと、
前記各機能の動作に伴って前記使用可能電池容量設定ステップで設定した使用可能電池容量割当量がなくなると、前記監視ステップの監視結果をもとに当該機能に対する電源供給を禁止する電源供給制限ステップと、
を備えたことを特徴とする電源供給方法。
【請求項２】
前記使用可能電池容量設定ステップは、
使用可能電池容量割当量の設定時における電池の残容量に対する割合で各機能毎に使用可能電池容量割当量を設定することを特徴とする請求項１記載の電源供給方法。
【請求項３】
前記使用可能電池容量設定ステップで設定した各機能毎の使用可能電池容量割当量を、使用可能電池容量割当量の設定時における電池の残容量に対する割合により表示する表示ステップ
を備えていることを特徴とする請求項２記載の電源供給方法。
【請求項４】
前記使用可能電池容量設定ステップで設定し、前記表示ステップで前記割合により表示した各機能毎の使用可能電池容量割当量に対する使用状況を表示する使用状況表示ステップ
を備えていることを特徴とする請求項３記載の電源供給方法。
【請求項５】
電池の残容量と前記使用可能電池容量設定ステップで設定した使用可能電池容量割当量と各機能毎の消費電流値とをもとに当該各機能の使用可能時間を演算して求める使用可能時間演算ステップと、
該使用可能時間演算ステップが求めた前記各機能の使用可能時間を表示する使用可能時間表示ステップとを備え、
監視ステップは、前記各機能毎の使用可能電池容量割当量における残量を、前記使用可能時間と各機能の動作時間をもとに監視することを特徴とする請求項４記載の電源供給方法。
【請求項６】
複数の機能を有した機器における前記各機能へそれぞれ独立して電源供給可能な電源供給手段と、
前記各機能毎の使用可能電池容量割当量を設定する使用可能電池容量設定手段と、
該使用可能電池容量設定手段により設定した前記各機能毎の使用可能電池容量割当量における残量を当該各機能毎に監視する監視手段と、
前記各機能の動作に伴って前記使用可能電池容量設定手段により設定した使用可能電池容量割当量がなくなると、前記監視手段の監視結果をもとに当該機能について設定されている使用可能電池容量割当量がなくなったことを報知する報知手段と、
前記各機能の動作に伴って前記使用可能電池容量設定手段により設定した使用可能電池容量割当量がなくなると、前記監視手段の監視結果をもとに前記電源供給手段を制御し、前記使用可能電池容量割当量がなくなった機能への電力供給を禁止する電源供給制御手段と、
を備えたことを特徴とする電源供給装置。
【請求項７】
更に、電池の残容量を検出する残容量検出手を備え、
前記使用可能電池容量設定手段は、使用可能電池容量割当量の設定時における前記残容量検出手段が検出した前記電池の残容量に対する割合で各機能毎に使用可能電池容量割当量を設定することを特徴とする請求項６記載の電源供給装置。
【請求項８】
前記使用可能電池容量設定手段により設定した各機能毎の使用可能電池容量割当量を、使用可能電池容量割当量の設定時における前記電池の残容量に対する割合により表示する表示手段
を備えていることを特徴とする請求項７記載の電源供給装置。
【請求項９】
前記使用可能電池容量設定手段により設定し、前記表示手段で前記割合により表示した各機能毎の使用可能電池容量割当量に対する使用状況を表示する使用状況表示手段
を備えていることを特徴とする請求項８記載の電源供給装置。
【請求項１０】
電池の残容量と前記使用可能電池容量設定手段により設定した使用可能電池容量割当量と各機能毎の消費電流値とをもとに当該各機能の使用可能時間を演算して求める使用可能時間演算手段と、
該使用可能時間演算手段により求めた前記各機能の使用可能時間を表示する使用可能時間表示手段とを備え、
監視手段は、前記各機能毎の使用可能電池容量割当量における残量を、前記使用可能時間と各機能の動作時間をもとに監視することを特徴とする請求項９記載の電源供給装置。
【発明の詳細な説明】
【０００１】
【発明の属する技術分野】
本発明は、複数の機能を有した機器における前記各機能毎に使用可能な電池容量を割り当て、限られた電池容量を有効利用できる電源供給方法および装置に関するものである。
【０００２】
【従来の技術】
最近、テレビとビデオ装置を組み合わせた機器や、液晶テレビ、ラジオ、さらにＭＤプレーヤなどの各機能を組み合わせ、電源をバッテリにした機器なども市場に現われるようになってきている。
これら複数の機能を有した機器における従来の電源供給方法および装置は、前記各機能へ同時に電力を供給する。これは、前記機器における各機能へ電源を供給する電源供給回路が各機能共通になっているためである。
【０００３】
【発明が解決しようとする課題】
従来の電源供給方法および装置は、以上のように構成されているので、複数の機能の内の１つの機能のみへの電源供給は出来ず、このため複数の機能の内の１つの機能だけが使用可能になるエネルギーが電池に残っている場合でも、電池に残っているエネルギーは各機能共通に供給され、電池のエネルギー残量が不足することになり、電池容量の有効利用が制限される課題があった。
また、機器使用者により頻繁に使用される機能、頻繁に使用されない機能共に電池からの電源供給は共通して行われており、各機能への電源供給は機器使用者の各機能に対する使用頻度の傾向を考慮しておらず、このような観点からも電池容量の有効利用が図られていない課題があった。
【０００４】
そこで本発明の目的は、複数の機能を有した機器における限られた電池容量を有効に利用できる電源供給方法および装置を提供することにある。
【０００５】
【課題を解決するための手段】
本発明は上記目的を達成するため、複数の機能を有した機器における前記各機能毎の使用可能電池容量割当量を設定する使用可能電池容量設定ステップと、該使用可能電池容量設定ステップで設定した前記各機能毎の使用可能電池容量割当量における残量を当該各機能毎に監視する監視ステップと、前記各機能の動作に伴って前記使用可能電池容量設定ステップで設定した使用可能電池容量割当量がなくなると、前記監視ステップの監視結果をもとに当該機能について設定されている使用可能電池容量割当量がなくなったことを報知する報知ステップと、前記各機能の動作に伴って前記使用可能電池容量設定ステップで設定した使用可能電池容量割当量がなくなると、前記監視ステップの監視結果をもとに当該機能に対する電源供給を禁止する電源供給制限ステップとを備えたことを特徴とする。
【０００６】
また、本発明は、複数の機能を有した機器における前記各機能へそれぞれ独立して電源供給可能な電源供給手段と、前記各機能毎の使用可能電池容量割当量を設定する使用可能電池容量設定手段と、該使用可能電池容量設定手段により設定した前記各機能毎の使用可能電池容量割当量における残量を当該各機能毎に監視する監視手段と、前記各機能の動作に伴って前記使用可能電池容量設定手段により設定した使用可能電池容量割当量がなくなると、前記監視手段の監視結果をもとに当該機能について設定されている使用可能電池容量割当量がなくなったことを報知する報知手段と、前記各機能の動作に伴って前記使用可能電池容量設定手段により設定した使用可能電池容量割当量がなくなると、前記監視手段の監視結果をもとに前記電源供給手段を制御し、前記使用可能電池容量割当量がなくなった機能への電力供給を禁止する電源供給制御手段を備えたことを特徴とする。
【０００７】
本発明の電源供給方法は、複数の機能を有した機器における前記各機能毎の使用可能電池容量割当量を設定し、該設定した前記各機能毎の使用可能電池容量割当量における残量を当該各機能毎に監視し、前記各機能の動作に伴って前記設定した使用可能電池容量割当量がなくなると、前記監視結果をもとに当該機能について設定されている使用可能電池容量割当量がなくなったことを報知するとともに、当該機能に対する電源供給を禁止し、機器使用者へ前記各機能毎の使用可能電池容量割当量の設定の再考を促し、複数の機能を有した機器における限られた電池容量の有効利用を促進する。
【０００８】
本発明では、複数の機能を有した機器における前記各機能へそれぞれ独立して電源供給可能な状態で、前記各機能毎の使用可能電池容量割当量を設定し、設定した前記各機能毎の使用可能電池容量割当量における残量を当該各機能毎に監視し、前記各機能の動作に伴って前記設定した使用可能電池容量割当量がなくなると、前記監視結果をもとに当該機能について設定されている使用可能電池容量割当量がなくなったことを報知するとともに、前記使用可能電池容量割当量がなくなった機能への電力供給を禁止し、機器使用者へ前記各機能毎の使用可能電池容量割当量の設定の再考を促し、複数の機能を有した機器における限られた電池容量の有効利用を促進する。
【０００９】
【発明の実施の形態】
次に、本発明による電源供給方法を装置と共に実施の一形態について説明する。
図１は、本実施の形態による電源供給方法および装置が適用された複数の機能を有する機器の一例を示すブロック図である。
図１において、機器１００は、複数の機能のうちの例えば液晶テレビなどの機能ブロック１、ラジオなどの機能ブロック２、ＭＤプレーヤなどの機能ブロック３、テープカセットデッキなどの機能ブロック４を備えている。
また、機器１００へ電源を供給するための電池５と、電池５から各機能ブロック１，２，３，４への電源の供給および電源の供給停止をそれぞれ独立して行うことが可能な電源供給手段６と、各機能ブロック１，２，３，４の使用可能電池容量割当量を機器使用者が設定するための使用可能電池容量設定手段７と、使用可能電池容量設定手段７により設定した各機能ブロック１，２，３，４の使用可能電池容量割当量における残量を当該各機能ブロック毎に監視する監視手段８と、各機能ブロック１，２，３，４の動作に伴って使用可能電池容量設定手段７により設定した使用可能電池容量割当量がなくなると、監視手段８の監視結果をもとにその機能ブロックについて設定されている使用可能電池容量割当量がなくなったことを報知する報知手段９と、各機能ブロック１，２，３，４の動作に伴って使用可能電池容量設定手段７により設定した使用可能電池容量割当量がなくなると、監視手段８の監視結果をもとに電源供給手段６を制御し、使用可能電池容量割当量がなくなった機能ブロックへの電力供給を制限する電源供給制御手段１０を備えている。
【００１０】
また、電池５の残容量を、例えば電池５の内部抵抗の電圧降下量や電池５の端子電圧などで検出する残容量検出手段１１と、使用可能電池容量設定手段７により設定した各機能ブロック１，２，３，４の使用可能電池容量割当量を、使用可能電池容量割当量の設定時における電池５の残容量に対する割合により表示する表示手段１２と、使用可能電池容量設定手段７により設定され表示手段１２に表示された各機能ブロック１，２，３，４の使用可能電池容量割当量に対する使用状況を表示する使用状況表示手段１３と、電池５の残容量と使用可能電池容量設定手段７により設定した使用可能電池容量割当量と各機能ブロック１，２，３，４の例えば予め想定される消費電流値とをもとに当該各機能ブロックの使用可能時間を演算して求める使用可能時間演算手段１４と、使用可能時間演算手段１４により求めた各機能ブロック１，２，３，４の使用可能時間を表示する使用可能時間表示手段１５を備えている。
【００１１】
図２の（ａ）は、電池５の残容量が１００％であるときの電池全容量、同図（ｂ）は前記電池全容量に対する使用可能電池容量設定手段７で機器使用者により各機能ブロック１，２，３，４へ割り当てられた使用可能電池容量割当量の一例を示す説明図である。
この場合、使用可能電池容量設定手段７では、残容量検出手段１１が検出した電池５の残容量を１００％としたときの前記電池全容量に対する割合で各機能ブロック毎に使用可能電池容量割当量が設定される。
図２の（ｂ）においては、液晶テレビである機能ブロック１には電池全容量に対し５０％、ＭＤプレーヤである機能ブロック３には電池全容量に対し３０％、ラジオである機能ブロック２には電池全容量に対し２０％の電池容量が割り当てられる。
【００１２】
図３は、使用可能電池容量設定手段７、監視手段８、電源供給制御手段１０、残容量検出手段１１、表示手段１２、使用状況表示手段１３、使用可能時間演算手段１４、使用可能時間表示手段１５などを、機器１００本体ではなくリモコン部２００に構成したときのリモコン部外観図である。
このリモコン部２００には、液晶表示部２１、各機能ブロック１，２，３，４の使用可能電池容量割当量を設定する電池容量設定モードを選択するモードボタン２２、前記電池容量設定モードにおいて使用可能電池容量割当量を設定する機能ブロックを選択するプレイボタン２６、各機能ブロック１，２，３，４の使用可能電池容量割当量を入力設定するための設定電池容量増加ボタン２３、設定電池容量減少ボタン２４、前記電池容量設定モードを解除するためのストップボタン２５などを備えている。
【００１３】
液晶表示部２１には、電池５の残容量に対する割合により使用可能電池容量設定手段７で設定した各機能ブロック１，２，３，４の使用可能電池容量割当量が表示手段１２によりバー２１ａで表示される。このバー２１ａによる表示においては、各機能ブロック１，２，３，４の使用可能電池容量割当量、他の機能ブロックへ割り当てられた使用済の使用可能電池容量割当量、または割り当てられていない未使用の空き容量などの使用状況が識別可能に使用状況表示手段１３により表示される。また、前記バー表示された各機能ブロック１，２，３，４の使用可能電池容量割当量に対応させて当該使用可能電池容量割当量に対する使用電池容量の％表示２１ｂも行われる。
また、プレイボタン２６により選択される機能ブロック名２１ｃ、モードボタン２２により選択された電池容量設定モード２１ｄなどが表示される。また、使用可能時間演算手段１４が演算して求めた各機能ブロック１，２，３，４の使用可能時間２１ｅが使用可能時間表示手段１５により表示される。
【００１４】
次に、図２の（ｂ）のような割合で各機能ブロックに対する使用可能電池容量割当量を設定する場合を例にして、図３および図４のフローチャートに基づいて動作を説明する。図４において、先ずモードボタン２２を押下すると（ステップＳ１）、動作モードが電池容量設定モードに切り替わり、液晶表示部２１へ表示された電池容量設定モードを選択する（ステップＳ２）。続いて、電池容量設定モードにおけるプレイボタン２６の操作をもとに使用可能電池容量設定手段７に使用可能電池容量が設定される機能ブロックが液晶表示部２１へ表示されるので、使用可能電池容量設定手段７により使用可能電池容量が設定される機能ブロックを機能ブロック１，２，３，４の内から選択する（ステップＳ３）。このプレイボタン２６を操作することで使用可能電池容量設定手段７により使用可能電池容量が設定される機能ブロックを選択することが出来るが、この場合、続けてプレイボタン２６を繰り返し操作することで他の機能ブロックが選択されるトグル動作となる。
【００１５】
続いて、設定電池容量増加ボタン２３、設定電池容量減少ボタン２４の操作をもとに、前記選択された機能ブロックに対する使用可能電池容量の設定を行う（ステップＳ４）。なお、本実施の形態では、電池容量設定モードに切り替わっていないときには設定電池容量増加ボタン２３、設定電池容量減少ボタン２４は、ボリュームの増減操作用の操作ボタンとなる。
ステップＳ４の処理は、プレイボタン２６の操作により順次選択される機能ブロックに対し行うことが出来、これにより各機能ブロック１，２，３，４に対する使用可能電池容量の設定が行われる。
【００１６】
このとき、ストップボタン２５の操作により、電池容量設定モードを解除することが出来る。
【００１７】
以上の操作の結果、リモコン部２００の液晶表示部２１には図２に示すように、電池５の残容量を１００％としたときの各機能ブロック１，２，３，４の使用可能電池容量割当量の割合のバー表示と、他の機能ブロックへ割り当てられた使用済の使用可能電池容量割当量と、割り当てられていない未使用の空き容量などの使用状況が識別可能に表示される。また、前記バー表示された各機能ブロック１，２，３，４の使用可能電池容量割当量に対応させて当該使用可能電池容量割当量に対する使用電池容量の％表示、プレイボタン２６により選択された機能ブロック名、モードボタン２２により選択された電池容量設定モードなどが表示される。また、使用可能時間演算手段１４が電池５の残容量と使用可能電池容量設定手段７により設定した使用可能電池容量割当量と各機能ブロック１，２，３，４の例えば予め想定される消費電流値とをもとに演算して求めた当該各機能ブロックの使用可能時間も表示される。
【００１８】
図３の液晶表示部２１に表示されたバー表示において黒で塗り潰してある部分は、他の機能ブロックですでに使用されている使用可能電池容量割当量、グレーの部分は現在設定している機能ブロックに対する使用可能電池容量割当量、白抜きの部分はどの機能ブロックへも割り当てていない未使用の使用可能電池容量を示す。従って、このとき使用可能電池容量割当量を設定中の機能ブロックへ割り当てられる使用可能電池容量は、設定中の使用可能電池容量と前記未使用の使用可能電池容量を加えた電池容量となる。
【００１９】
このように、各機能ブロック１，２，３，４へ使用可能電池容量が割り当てられた状態で、各機能ブロック１，２，３，４を機器使用者が使用すると、各機能ブロック１，２，３，４への電源供給は前記割り当てられた使用可能電池容量に応じた時間で制御される。このため、機器使用者が液晶テレビである機能ブロック１を主に利用する傾向にある場合には、当該機器使用者の機能ブロック１を主に利用するという傾向に合致した電池容量の割り振りが行われ、機器使用者の各機能ブロックの利用傾向に沿った電池容量の有効利用が可能になる。
また、各機能ブロック１，２，３，４の動作に伴って使用可能電池容量設定手段７により設定した使用可能電池容量割当量がなくなると、当該機能ブロックへの電源供給が制御されるとともに、監視手段８の監視結果をもとに当該機能ブロックについて設定されている使用可能電池容量割当量がなくなったことを報知手段９で報知する。この結果、機器使用者は前記残り少ない電池容量をもとにした各機能ブロックについての使用可能電池容量割当量の再設定を行い、この残り少ない電池容量でも動作可能な消費電流の小さな機能ブロックへ使用可能電池容量割当量を割り当てることで、消費電流の大きな機能ブロックに比べて長時間動作させ、残り少ない電池容量の有効利用を図る。
【００２０】
以上説明したように、本実施の形態によれば、各機能ブロック１，２，３，４毎に使用可能電池容量を、機器使用者の各機能ブロックの使用の傾向に応じて機器使用者自身が割り当てることが出来るため、複数の機能を有した機器における限られた電池容量を有効に利用できる。
【００２１】
【発明の効果】
以上説明したように、本発明の電源供給方法および装置では、複数の機能を有した機器における前記各機能毎の使用可能電池容量割当量を設定し、該設定した使用可能電池容量割当量に応じて前記各機能への電源供給を制御することが出来るので、機器使用者が前記機器の各機能のうちで特定の機能を多用し、他の機能についてはまれにしか使用しないなどの前記各機能についての機器使用者の傾向や好みに応じた電池容量の割り当てが可能になり、限られた電池容量のほとんどを前記多用する機能へ割り当て、前記まれにしか使用しない機器への電池容量の割り当てを少なくし、限られた電池容量を有効に利用できる効果がある。
また、電池容量が少なくなった場合でも、この少ない電池残容量を小さい消費電流で動作可能な機能へ割り当て、消費電流が大きな機能に比べて長時間動作させるなどの限られた電池容量の有効利用が可能になる効果がある。
【図面の簡単な説明】
【図１】本発明の実施の一形態による電源供給方法および装置が適用された複数の機能を有する機器の一例を示すブロック図である。
【図２】本発明の実施の一形態による電源供給方法および装置が適用された複数の機能を有する機器における電池全容量と各機能ブロックへ割り当てられた使用可能電池容量割当量の一例を示す説明図である。
【図３】本発明の実施の一形態による電源供給方法および装置が適用された複数の機能を有する機器におけるリモコン部の外観を示す外観図である。
【図４】本発明の実施の一形態による電源供給方法および装置における使用可能電池容量割当量の設定動作を示すフローチャートである。
【符号の説明】
１，２，３，４……機能ブロック、５……電池、６……電源供給手段、７……使用可能電池容量設定手段、８……監視手段、９……報知手段、１０……電源供給制御手段、１１……残容量検出手段、１２……表示手段、１３……使用状況表示手段、１４……使用可能時間演算手段、１５……使用可能時間表示手段、１００……電源供給装置。
【図１】
0004332904.tif 000002
【図２】
0004332904.tif 000003
【図３】
0004332904.tif 000004
【図４】
0004332904.tif 000005